Podtech/llm-jp-corpus-v4-ja_patent huggingface dataset:
(57)【要約】      （修正有）【課題】水に浸すだけで冷却作用があり熱いときに頭や首に巻くだけで清涼感を体感できるネックスカーフを提供する。【解決手段】帯状の布の長手方向の中間部分に袋状部分４を作り吸水樹脂ポリマーを挿入する。この布を３分から５分水に浸すことで水分を吸水確保し、この水分を気化発散の気化熱を利用すると冷却効果があり繰り返し使用できるようにしてネックスカーフ３を形成する。【選択図】図３
0003169079.tif 000002
【実用新案登録請求の範囲】
【請求項１】
布に袋状部分を作り吸水樹脂ポリマーを挿入した、この布を３分から５分水に浸すことで水分を吸水確保し、この水分を気化発散の気化熱を利用すると冷却効果があり繰り返し使用できる事を特徴とするネックスカーフ。
【考案の詳細な説明】
【技術分野】
【０００１】  本考案は、図１吸水樹脂ポリマーが水分を図４吸収した水分を図５気化発散するときに冷却効果があるのを利用した図２首や図３頭に巻くネックやスカーフに関するもので熱い場所やスポーツしたとき夏の暑いときに使用することで清涼冷却感を感じさわやかにすごせる効果がある、水分が蒸発した場合再度水に浸すことで図６繰り返し使用が可能で利便性が高いネックスカーフに関する。
【背景技術】
【０００２】  従来のネックやスカーフは布製のもので保温効果と色彩でのおしゃれ目的が存在していたが使用しているときに冷却効果のあるネックやスカーフは無かった。
【考案の概要】
【考案が解決しようとする課題】
【０００３】  本考案の解決課題は、本ネックスカーフは水に浸すだけで冷却作用があり熱いときに頭や首に巻くだけで清涼感を体感できる事を提供することにある。
【課題を解決するための手段】
【０００４】本考案の解決課題は、吸水樹脂ポリマーをネックスカーフに挿入した。
【考案の効果】
【０００５】布に袋状部分に挿入された吸水樹脂ポリマーは水分を吸水、気化発散作用により冷却、乾燥したら再度水に浸すことでネックスカーフとして頭や首に巻き冷却作用を繰り返し体感使用できる
【考案を実施するための最良の形態】
【０００６】  以下、図を持って説明する
図１  ネックスカーフを水に浸して吸水樹脂ポリマーに水分を吸収している
図２  首にネックスカーフを巻いて首を冷却している
図３  頭にネックスカーフを巻いて頭を冷却している
図４  吸水樹脂ポリマーに水分を吸収膨らんでいる
図５  吸水樹脂ポリマーから水分が気化発散している
図６  吸水樹脂ポリマーから水分の気化発散、吸収の繰り返しをする
【産業上の利用可能性】
【０００８】本考案は、熱いときに頭や首に巻き冷却作用のあるネックスカーフとして広く適用が可能である。
【図面の簡単な説明】
【０００９】
【図１】  水に浸した図である
【図２】  首に巻いて使用している図である
【図３】  頭に巻いている図である
【図４】  ポリマーが吸水膨らむ
【図５】  気化作用
【図６】  気化発散  吸水  を絵で表現した図である
【符号の説明】
【００１１】  １  洗面器
２  水
３  ネックスカーフ
４  水に浸したネックスカーフの冷却部分
【図１】
0003169079.tif 000003
【図２】
0003169079.tif 000004
【図３】
0003169079.tif 000005
【図４】
0003169079.tif 000006
【図５】
0003169079.tif 000007
【図６】
0003169079.tif 000008
【手続補正書】
【提出日】平成23年4月15日(2011.4.15)
【手続補正１】
【補正対象書類名】実用新案登録請求の範囲
【補正対象項目名】全文
【補正方法】変更
【補正の内容】
【実用新案登録請求の範囲】
【請求項１】
帯状の布の長手方向の中間部分に袋状部分を作り吸水樹脂ポリマーを挿入した、この布を３分から５分水に浸すことで水分を吸水確保し、この水分を気化発散の気化熱を利用すると冷却効果があり繰り返し使用できる事を特徴とするネックスカーフ。
(57)【要約】      （修正有）【課題】一つの本体コネクターに、３種類の携帯型電子機器に接続することが出来る電子信号用コネクターを提供する。【解決手段】携帯型電子機器の電子信号用コネクターを１個で、３種類の携帯型電子機器に使用出来るようにするために、電子信号用コネクターを本体コネクターと電子信号用コネクターと２種類に分ける、又その本体コネクターに３個の電子信号用コネクターを交換し取り付けられるようにするために、３本の溝を設け、その溝に３個の電子信号用コネクターを取り付ける、本体コネクターに中継用接続用コネクターを設け、電子信号用コネクターに本体コネクターとの中継用接続用コネクターを取り付けることで、３個の電子信号用コネクターと交換接続することできるようにする、電子信号用コネクターは溝からピンを取り外して交換できるようにする。【選択図】図１
0003169042.tif 000002
【実用新案登録請求の範囲】
【請求項１】
携帯型電子機器の電子信号用コネクターであって、該電子信号用コネクターは１つの入力コネクターと３本の溝を有する中継接続コネクターと、溝中に異なる形状を有する出力コネクターからなり、入力コネクターが１個のＵＳＢ端子であり、中継接続コネクターは溝から突き出た３種類の携帯型電子機器に接続可能な中継接続コネクターピンを介して電力供給コネクターと脱着可能であることを特徴とする携帯型電子機器の電子信号用コネクター。
【考案の詳細な説明】
【技術分野】
【０００１】
本考案は携帯型電子機器の電子信号用コネクターである。
【背景技術】
【０００２】
従来の携帯型電子機器の電子信号用コネクター１種類の携帯型電子機器のみの使用である。
【考案の開示】
【考案が解決しようとする課題】
【０００３】
従来の携帯型電子機器の電子信号用コネクターは１種類のみの使用であるために、複数の携帯型電子機器を所持するとき、複数の電子信号用コネクターの電子信号用コネクターを所持する必要がる、所持する電子信号用コネクターを１種類のみ所持することを解決しようとする課題する。
【課題を解決するための手段】
【０００４】
本考案は一つの本体コネクターに、３種類の携帯型電子機器に接続することが出来ることを、解決するための手段とする。
【考案の効果】
【０００５】
上述のように、一つの電子信号用コネクター本体コネクターに、３種類の電子信号用コネクターを設けることで本考案の効果があった。
【考案を実施するための最良の形態】
【０００６】
本考案は３個の携帯型電子機器の電子信号用コネクターを、一つの本体コネクターに３個の電子信号用コネクターを交換し取り付けられるようにするため、３本の溝を設け、その溝に３個の電子信号用コネクターを取り付ける、本体の接続用コネクターに交換し取り付けられ、３種類の携帯型電子機器に接続することが出来る、又電子信号用コネクターは溝から取り外し交換できるようにする、該の携帯型電子機器の電子信号用コネクターで３種類の携帯型電子機器に接続でき、実施することが可能になった。
【実施例】
【０００７】
図面に従って、以下添付実施例を説明する、１は電子信号用コネクターである、１aはコンピューターに接続用USBコネクター、１bは２，３，４、のピンをを取り付け用溝、１cは携帯型電子機器への電子信号用コネクターに接続するための中継接続コネクター、２は携帯型電子機器への接続用の電子信号用コネクター、２aは本体と携帯型電子機器への接続用の電子信号用コネクターを接続するための中継接続用コネクター、２bは携帯型電子機器への接続用の電子信号用コネクター、２cは本体の溝に嵌め込み溝を移動するためのピン、
【０００８】
。
３は２と異なる携帯型電子機器への接続用コネクター、４は異なる携帯型電子機器への接続用コネクター、５は携帯型電子機器で電子信号用コネクターを接続し使用する、６はコンピュターで本体のUSBコネクター接続し使用する。
【図面の簡単な説明】
【０００９】
【図１】電子信号用コネクター一部断面正面図
【図２】電子信号用コネクター一部断面上面図
【図３】電子信号用コネクター一部断面低面図
【図４】電子信号用コネクター右側面図
【図５】電子信号用コネクター面図
【図６】電子信号用コネクター本体正面図
【図７】電子信号用コネクター本体右側面図
【図８】電子信号用コネクター本体左側面図
【図９】電子信号用コネクター２正面図
【図１０】電子信号用コネクター２上面図
【図１１】電子信号用コネクター２右側面図
【図１２】電子信号用コネクター２左側面図
【図１３】電子信号用コネクター３正面図
【図１４】電子信号用コネクター４正面図
【図１５】電子信号用コネクター使用図面
【符号の説明】
【００１０】
１    電子信号用コネクター本体
２    電子信号用コネクター２電子信号用コネクター２
３    電子信号用コネクター３
４    電子信号用コネクター４
５    携帯型電子機器
６    コンピュター
【図１】
0003169042.tif 000003
【図２】
0003169042.tif 000004
【図３】
0003169042.tif 000005
【図４】
0003169042.tif 000006
【図５】
0003169042.tif 000007
【図６】
0003169042.tif 000008
【図７】
0003169042.tif 000009
【図８】
0003169042.tif 000010
【図９】
0003169042.tif 000011
【図１０】
0003169042.tif 000012
【図１１】
0003169042.tif 000013
【図１２】
0003169042.tif 000014
【図１３】
0003169042.tif 000015
【図１４】
0003169042.tif 000016
【図１５】
0003169042.tif 000017
(57)【要約】      （修正有）【課題】中小形の活エサ又生エサ１尾を用いて遠投するとき、エサを損傷することなくポイントに遠投着水させ水中に放出できる浮き釣り遠投カゴを提供する。【解決手段】浮き釣り遠投カゴ１は、形状を円筒形にし収納口に上下スライドする開閉蓋２を設けたことにより、中小形の活エサ又生エサ１尾を損傷なく、ポイントに遠投着水させることができる。さらに水中で開閉蓋が浮力により上スライドし、本体収納部分に設けたスロープからスムーズにエサ１尾が放出できる。【選択図】図２
0003169082.tif 000002
【実用新案登録請求の範囲】
【請求項１】
浮き釣り遠投カゴの形状を円筒形に改良し、心棒を遠投カゴの上部に据えて、中小形の活エサ又生エサ１尾の収納スペースを設けたことを特徴とする。
【請求項２】
浮き釣り遠投カゴの本体に添って、上下にスライドする蓋を設けたことを特徴とする。
【請求項３】
浮き釣り遠投カゴの本体に添って、上下にスライドする蓋の側面に複数の浮力用突起物を設けたことを特徴とする。
【請求項４】
浮き釣り遠投カゴのエサ収納部分に、スロープを設けたことを特徴とする。
【請求項５】
浮き釣り遠投カゴの底部にあるオモリに、クッションゴムを取り付けたことを特徴とする。
【考案の詳細な説明】
【技術分野】
【０００１】  この考案は、浮き釣り遠投カゴの形状と、中小形の活エサ又生エサ１尾の収納部分を改良した浮き釣り遠投カゴに関する。
【背景技術】
【０００２】  従来の浮き釣り遠投カゴは、オキアミ又はアミコマセを詰めて遠投することで水中にエサを投入し撒きエサとする方法である。エサとして中小形の活エサ又生エサ１尾を用いたいときは、直接釣り針にエサ１尾を掛け遠投していたが、その途中で釣り針から外れたり着水したときの衝撃で破損してしまう問題があった。
【考案の概要】
【考案が解決しようとする課題】
【０００３】  この考案は、上記した問題を解消する浮き釣り遠投カゴを提供することを目的とする。
【課題を解決するための手段】
【０００４】  この考案の浮き釣り遠投カゴは、形状を円筒形に改良し、カゴの本体に添ってスライドする蓋を設けたことを特徴とする。
この考案の浮き釣り遠投カゴは、心棒をカゴ本体の上部に据えて、中小形の活エサ又生エサ１尾の形を損なわずに収納できるスペースを設けたことを特徴とする。
この考案の浮き釣り遠投カゴは、収納部分に設けたスロープにより中小形の活エサ又生エサ１尾をスムーズに収納でき水中で損傷なく放出することを特徴とする。
この考案の浮き釣り遠投カゴは、スライドする蓋の側面に複数の浮力用突起物を設けたことを特徴とする。
この考案の浮き釣り遠投カゴは、周囲の釣り人に対する安全の配慮ため、浮き釣り遠投カゴのオモリ部分の露出を防ぐクッションゴムを取り付けたことを特徴とする。
【考案の効果】
【０００５】  この浮き釣り遠投カゴは、エサ収納部分を従来の形から円筒形に改良し、心棒をカゴ本体の上部に据えたことにより、中小形の活エサ又生エサ１尾を原形のまま収納でき、スライドする蓋を閉じることによって簡単にセットできる。
さらに水中にて蓋の外側に設けた突起物の浮力作用により、蓋が上にスライドするため収納口が開き、スロープを使って中小形の活エサ又生エサ１尾を損傷することなく放出することができる。
【図面の簡単な説明】
【０００６】
【図１】「浮き釣り遠投カゴ１例を示した平面図である」
【図２】「浮き釣り遠投カゴ１例を示した作動説明側面平面図」
【図３】「浮き釣り遠投カゴ１例を示した側面断面図」
【図４】「浮き釣り遠投カゴ１例を示した作動説明断面図」
【考案を実施するための形態】
【０００７】  この考案の一実施形態を図１に示す。
この浮き釣り遠投カゴは、釣りに使用するカゴで中小形の活エサ又生エサ１尾を遠くのポイントに着水させ、水中に損傷なく放出するための道具である。
【実施例】
【０００８】  図１は、１は浮き釣り遠投カゴで筒状になっている。２は、１浮き釣り遠投カゴの外側で、１に添ってスライドする蓋。３は、２に複数取り付けた突起物で、浮力を備えている。２を上にスライドさせると、１の筒に中小形の活エサ又生エサ１尾を収納する入り口がある。中小形の活エサ又生エサ１尾を収納し、２の蓋を下ろすと外部から受ける衝撃を防ぐことができ、着水するまで損傷なく運ぶことができる。４は、中小形の活エサ又生エサ１尾に掛けた釣り針部分だけをだすための半円形の凹みでエサを固定することができる。
図２は、１は、浮き釣り遠投カゴ、２と３は１の筒に添って上下にスライドする蓋で、蓋が上がっている状態を示している。２と３は遠投着水後、３の浮力作用で２が上にスライドし、１の収納口が水中で開きスムーズに中小形の活エサ又生エサ１尾を放出することができる。
図３で、１は浮き釣り遠投カゴ、１の筒の内側に５のスロープを設けてあり５は中小形の活エサ又生エサ１尾をスムーズに放出する役割をしている。
６は１の浮き釣り遠投カゴ全体を支える心棒である。
図４で、１は浮き釣り遠投カゴ、７はオモリで１の浮き釣り遠投カゴを遠くに飛ばし速やかに水中に沈める役割である。
８は水抜き穴であり、１の浮き釣り遠投カゴが速やかに浸水する役割をしている。
９は７のオモリの下から装着したクッションゴムであり、１の浮き釣り遠投カゴ本体の損傷と周囲の安全確保の役割をしている。
【符号の説明】
【０００９】１・・・浮き釣り遠投カゴ        ２・・・上下にスライドする蓋
３・・・浮力防水クッション      ４・・・釣り針の凹み
５・・・スロープ                ６・・・心棒
７・・・オモリ                  ８・・・水抜き穴
９・・・クッションゴム
【図１】
0003169082.tif 000003
【図２】
0003169082.tif 000004
【図３】
0003169082.tif 000005
【図４】
0003169082.tif 000006
【手続補正書】
【提出日】平成23年4月25日(2011.4.25)
【手続補正１】
【補正対象書類名】実用新案登録請求の範囲
【補正対象項目名】全文
【補正方法】変更
【補正の内容】
【実用新案登録請求の範囲】
【請求項１】
浮き釣り遠投カゴの形状を円筒形に改良し、心棒を遠投カゴの上部に据えて、中小形の活エサ又生エサ１尾の収納スペースを設けたことを特徴とする浮き釣り遠投カゴ。
【請求項２】
浮き釣り遠投カゴの本体に添って、上下にスライドする蓋を設けたことを特徴とする請求項１記載の浮き釣り遠投カゴ。
【請求項３】
浮き釣り遠投カゴの本体に添って、上下にスライドする蓋の側面に複数の浮力用突起物を設けたことを特徴とする請求項１記載の浮き釣り遠投カゴ。
【請求項４】
浮き釣り遠投カゴのエサ収納部分に、スロープを設けたことを特徴とする請求項１記載の浮き釣り遠投カゴ。
【請求項５】
浮き釣り遠投カゴの底部にあるオモリに、クッションゴムを取り付けたことを特徴する請求項１記載の浮き釣り遠投カゴ。
(57)【要約】      （修正有）【課題】高能率と低コストを最優先にする塗膜切削回転工具を提供する。【解決手段】台金の外周縁部に設置されている複数の切削チップで刃部としてのエッジが弧状をなしているため、厚い塗膜に抵抗が少なく食い込み切削していくことができるため、従来の作業をはるかに上回る能力と、作業者への機械から発生する騒音や振動による肉体的な疲労度も極端に軽減されたものである。また操作性はもとより、仕上げの精度も高く、コスト面においても十分に対応できる。【選択図】図１
0003169086.tif 000002
【実用新案登録請求の範囲】
【請求項１】
台金の外周縁部に複数の切削チップを周方向に間欠的に配置した塗膜切削回転工具であって、前記切削チップは、刃部としてのエッジが弧状をなし、背面を前記台金により支持されていることを特徴とする塗膜切削回転工具。
【請求項２】
前記切削チップの前面には、チップ本体よりも耐摩耗性に優れた耐摩耗層が設けられていることを特徴とする請求項１に記載の塗膜切削回転工具。
【請求項３】
前記耐摩耗層は、ダイヤモンド焼結体から構成されていることを特徴とする請求項２に記載の塗膜切削回転工具。
【請求項４】
前記耐摩耗層は超低粒をボンド材により固定した超低粒層から構成されていることを特徴とする塗膜切削回転工具。
【請求項５】
前記切削チップの前方における前記台金を切り欠いてなる切り屑排出部を備えることを特徴とする請求項１〜４のいずれかに記載の塗膜切削回転工具。
【考案の詳細な説明】
【技術分野】
【０００１】  本考案は、鉄部の表面にある塗膜除去に用いられる塗膜切削回転工具に関する。
【背景技術】
【０００２】  鉄部の建築構造物の改修工事において、塗料の塗り重ねによる厚い塗膜は、スクレーパ等での手作業や、ハツリ機械等によるハツリ作業、電動回転機械（グラインダー）に砥石を取り付けての作業が主流で行われているため、低能率で人件費のコスト高である。
【考案が解決しようとする課題】
【０００３】  本考案は、上記した事情に鑑み、高能率と低コストを最優先にすることを目的に考案された塗膜切削回転工具である。
【課題を解決するための手段】
【０００４】  本考案は、台金の外周縁部に設置されている複数の切削チップは、刃部としてのエッジが弧状をなしているため、厚い塗膜に抵抗が少なく食い込み切削していくことができる。
【０００５】  切削チップの前面には、チップ本体よりも耐摩耗性に優れた耐摩耗層が設けられていると好ましい。耐摩耗層は、ダイヤモンド焼結体から構成されていると好ましい。耐摩耗層は、超低粒をポンド材により固定した超低粒層から構成されていると好ましい。このようにすれば、塗膜切削回転工具の超寿命化が図られる。
【０００６】  塗膜切削回転工具は、切削チップの前方における台金を切り欠いてなる切り屑排出部を備えると好ましい。このようにすれば、切削チップにより削られた切り屑は、切り屑排出部から切削チップ上を通って後方に排出される。これにより、切り屑の促進がされ、切削チップの目詰まりを解消することが出来る。
【考案の形態】
【０００７】  以下、本考案の塗膜切削回転工具の形態を添付した図面にしたがって説明する。図１、は▲１▼電動回転機械（グラインダー）に、本考案の▲２▼塗膜切削回転工具を取り付けた正面の断面図である。図２、は図１の▲２▼塗膜切削回転工具の下面図である。図３、は図２の上面図である。図４、は図２の斜視図である。図５は、図２の▲３▼切削チップの拡大図である。
【考案の実施例】
【０００８】以下、本考案の塗膜切削回転工具の実施例を添付した図面にしたがって説明する。図６、は▲１▼電動回転機械（グラインダー）に、本考案の▲２▼塗膜切削回転工具を取り付けて鉄部の塗り重ね塗膜の切削をした図である。図７、は図６の塗膜切削後の拡大図である。図６と図７の通り、鉄部の塗り重ね塗膜を切り裂くように切削している図である。
【考案の効果】
【０００９】  本考案の塗膜切削回転工具は、以上説明をしてきた通り、従来の作業をはるかに上回る能力と、作業者への機械から発生する騒音や振動による肉体的な疲労度も極端に軽減されたものである。また操作性はもとより、仕上げの精度も高く、コスト面においても十分に対応できるものである。
【図面の簡単な説明】  以下、本考案の塗膜切削回転工具の実施例を、添付した図面にしたがって説明する。
【図１】は電動回転機械（グラインダー）に本考案の塗膜切削回転工具を取り付けた正面の断面図である。
【図２】は本考案の塗膜切削回転工具の下面図である。
【図３】は本考案の塗膜切削回転工具の上面図である。
【図４】は本考案の塗膜切削回転工具の斜視図である。
【図５】本考案の塗膜切削回転工具の切削チップの拡大図である。
【図６】は本考案の塗膜切削回転工具で鉄部塗膜を切削した図である。
【図７】は図６の塗膜切削後の拡大図である。
【符号の説明】
【００１０】▲１▼，電動回転機械（グラインダー）
▲２▼，塗膜切削回転工具
▲３▼，切削チップ
▲４▼，切り屑排出部
【図１】
0003169086.tif 000003
【図２】
0003169086.tif 000004
【図３】
0003169086.tif 000005
【図４】
0003169086.tif 000006
【図５】
0003169086.tif 000007
【図６】
0003169086.tif 000008
【図７】
0003169086.tif 000009
【手続補正書】
【提出日】平成23年4月15日(2011.4.15)
【手続補正１】
【補正対象書類名】実用新案登録請求の範囲
【補正対象項目名】全文
【補正方法】変更
【補正の内容】
【実用新案登録請求の範囲】
【請求項１】
台金の外周縁部に複数の切削チップを周方向に間欠的に配置した塗膜切削回転工具であって、前記切削チップは、刃部としてのエッジが弧状をなし、背面を前記台金により支持されていることを特徴とする塗膜切削回転工具。
【請求項２】
前記切削チップの前面には、チップ本体よりも耐摩耗性に優れた耐摩耗層が設けられていることを特徴とする請求項１に記載の塗膜切削回転工具。
【請求項３】
前記耐摩耗層は、ダイヤモンド焼結体から構成されていることを特徴とする請求項２に記載の塗膜切削回転工具。
【請求項４】
前記耐摩耗層は超低粒をボンド材により固定した超低粒層から構成されていることを特徴とする。請求項１記載の塗膜切削回転工具。
【請求項５】
前記切削チップの前方における前記台金を切り欠いてなる切り屑排出部を備えることを特徴とする請求項１〜４のいずれかに記載の塗膜切削回転工具。
(57)【要約】      （修正有）【課題】雨といの排水口に取付ることで簡単に取水できるため、雨といの排水パイプの加工を要さずに取水ができる雨水取水着脱治具を提供する。【解決手段】締め付けパイプ１とホース接続パイプ３を締めつけることでゴムブッシング２を変形させて排水パイプに密着させ、ホースを介して雨水をタンクに貯水できるので水を有効利用できる。【選択図】図１
0003169084.tif 000002
【実用新案登録請求の範囲】
【請求項１】
円柱のバイプの外側に羅線の溝を切ったものと、その円柱のパイプの外径に合うパイプの内側に羅線の溝を切ったものとの間に入る円形のゴムブッシングとから成る雨水用着脱治具。
【考案の詳細な説明】
【技術分野】
【０００１】  本考案は、パイプと先端を絞ったパイプとの間にゴムブッシング付けたものであり雨といの排水口に取りつけ、雨水の取水を可能とする取りつけ治具に間するものである。
【背景技術】
【０００２】  雨水を取水するには、雨といの排水パイプを切断又は加工する必要があった。
【考案の開示】
【考案を解決しようとする課題】
【０００３】  雨水を取水するときは、排水パイプの加工が伴っていたが雨といの排水口に簡単に取付できることで前途の欠点を解決しようとするものである。
【課題わ解決するための手段】
【０００４】  本考案は、雨といの排水口に取付ることで雨水の取水ができ問題点を解決している。
【考案の効果】
【０００５】  上述の様に雨水取水着脱治具は、雨といの排水パイプ取付けることで雨水を取水できタンクに貯水し、ポンプで吸い上げトイレのタンクに注入し利用することで水道費の節約に役立つ。
【考案を実施するための最良の形態】
【０００６】  雨といの排水口に取付け、パイプを回すことでゴムフッシングを締め付け排水口に本治具を密着させパイプにホースを継ぎ雨水をタンクに注入し、貯水する。
タンクは、５００Ｌを２連結する方法が良いとおもわれる。
【実施例】
【０００７】  以下添付図に従って実施例を説明する。１は、塩ビハイプにネジを切ったもの、２はゴムブッシング、３は、１に噛み合うように内側にネジを切ッた塩ビでイプで先端をすぼめたもの。この取水治具を排水口に取付ける。【０００８】  本考案は、上述の如き構成からなるものであり図３に雨といの排水口に取付け雨水の取水にもちいる。
【図面の簡単な説明】
【０００９】
【図１】側面図
【図２】正面図
【図３】立面図
【図４】実施例図
【符号の説明】
【００１０】１、締め付けパイプ
２、ゴムブッシング
３、ホース接続パイプ
【図１】
0003169084.tif 000003
【図２】
0003169084.tif 000004
【図３】
0003169084.tif 000005
【図４】
0003169084.tif 000006
【手続補正書】
【提出日】平成23年4月15日(2011.4.15)
【手続補正１】
【補正対象書類名】実用新案登録請求の範囲
【補正対象項目名】全文
【補正方法】変更
【補正の内容】
【実用新案登録請求の範囲】
【請求項１】
円柱のパイプの外側に羅線の溝を切ったものと、その円柱のパイプの外径に合うパイプの内側に羅線の溝を切ったものと前記円柱のパイプの外側に羅線の溝を切ったものとの間に入る円形のブッシングと、から成る雨水用着脱治具。
(57)【要約】      （修正有）【課題】ガステーブルの鍋受けとバーナー部分を分解することなく収納することで、フラットにできるガステーブルを提供する。【解決手段】ガステーブル天板５よりバーナー部１と鍋受け部２、３が競り上がりベース部６により押し上げられているガスコンロの使用時状態から、ベースを引き下げることにより、上下巾確定ＢＯＸ７の設定範囲内で各々の部分が引き下げられる。引き下げ量の差は長さ吸収部８により調整できる。すべてが引き下げられると天板には突起のないフラットなガステーブルになる。【選択図】図１
0003169085.tif 000002
【実用新案登録請求の範囲】
【請求項１】
ガステーブルに必要なバーナー部分と鍋受け部がテーブル函体の中に収納できる。
【考案の詳細な説明】
【技術分野】
【０００１】
本考案はガステーブルに必要なバーナー部分と鍋受け部が天板より出ている各々の部分をテーブル函体の中に収納できるものである。
【背景技術】
【０００２】
ガステーブルとして特願平０５−２２６０６５が広報で公知さけている。
【先行技術文献】
【特許文献】
【０００３】
【特許文献１】特願平０５−２２６０６５
【考案の概要】
【考案が解決しようとする課題】
【０００４】
ガステーブルに必要なバーナー部分と鍋受け部が天板より出ていると掃除が面倒でスペースを有効に利用できない。
【課題を解決するための手段】
【０００５】
そこで本考案はガステーブルの使用時以外はテーブル(天板)をフラットにすることを目的とした。
【考案の効果】
【０００６】
本考案はガステーブルに必要なバーナー部分と鍋受け部が天板より出ている各々の部分をテーブル函体の中に収納できるようにした。
【図面の簡単な説明】
【０００７】
【図１】コンロの断面で天板(5)よりバーナー部(1)と鍋受け部(2)(3)が出ている状態でコンロ使用時をあらわしている。
【図２】コンロの断面で天板(5)までバーナー部(1)と鍋受け部(2)(3)が下がっている状態で収納時をあらわしている。
【符号の説明】
【０００８】
1.  バーナー部
2.  鍋受け部(短)
3.  鍋受け部(長)
4.  ガス供給部分
5.  天板(トップテーブル)
6.  競り上がり基部(ベース)
7.  上下巾確定BOX
8.  出幅吸収部
【図１】
0003169085.tif 000003
【図２】
0003169085.tif 000004
【手続補正書】
【提出日】平成23年5月11日(2011.5.11)
【手続補正１】
【補正対象書類名】実用新案登録請求の範囲
【補正対象項目名】全文
【補正方法】変更
【補正の内容】
【実用新案登録請求の範囲】
【請求項１】
ガステーブルのテーブル上に出ているバーナー部と鍋受け部において、煮炊き以外使用しないときにバーナー部と鍋受け部をテーブル内に引き下げ収納することを特徴としたフラットガステーブル。
(57)【要約】      （修正有）【課題】声が聞こえないコンサート会場で、コンサートライトの状態を簡単に送りあう通信手段付きコンサートライトを提供する。【解決手段】コンサートライト１に通信部分３を付加し、コンサートライト２に通信部分４を付加して目的を実現した。通信手段を付加することにより、簡単に状態を送ることができる。本コンサートライトはお互いの状態を送りあうことでき、声が聞こえないコンサート会場でも簡単に同じ状態にする事が出来る。他のコンサートライトから状態を受け取ったり、送ることを通信部分を付加することにより実現した。【選択図】図１
0003169089.tif 000002
【実用新案登録請求の範囲】
【請求項１】
通信手段を付加し、お互いの状態を送りあうことを特徴とした通信付きコンサートライト
【考案の詳細な説明】
【技術分野】
【０００１】本考案は舞台、イベント、コンサートなどで用いるコンサートライトに通信手段を追加し、他のコンサートライトから状態を変化させられたり、他のコンサートライトの状態を変化させる技術に関する。
【背景技術】
【０００２】従来のコンサートライトは単色の物や、ボタンで色を切り替える物が多く使われてきた。コンサートライトについては先行特許文献１には芳香剤のような物質を発散させるものが知られているが本考案のような通信付きのコンサートライトについては知られていない。
【先行技術文献】
【特許文献】
【０００３】
【特許文献１】特開２００７−１５７２３号公報
【考案の概要】
【考案が解決しようとする課題】
【０００４】しかし、通信手段を持たないので、他のコンサートライトから状態を受け取ったり、送ることが出来ない点である。
【課題を解決するための手段】
【０００５】本考案はコンサートライトに通信手段を付加することにより、課題を解決する物である。
【考案の効果】
【０００６】本考案のコンサートライトはお互いの状態を送りあうことでき、声が聞こえないコンサート会場でも簡単に同じ状態にする事が出来る。
【図面の簡単な説明】
【０００７】
【図１】図１はコンサートライトの実施方法を示した説明図である。（実施例１）
【考案を実施するための形態】
【０００８】他のコンサートライトから状態を受け取ったり、送ることを通信部分を付加することにより実現した。
【実施例】
【０００９】図１は本考案装置の１実施例である。コンサートライト１に通信部分３を付加し、コンサートライト２に通信部分４を付加して目的を実現した。  通信部分３，４は光学的、電気的通信を具備する。
【産業上の利用可能性】
【００１０】強力な赤外線投光器で通信することにより、遠距離からのコンサートライト状態を変化させる用途にも適用できる。
【符号の説明】
【００１１】１  コンサートライトその１２  コンサートライトその２３  通信部分その１４  通信部分その２
【図１】
0003169089.tif 000003
【手続補正書】
【提出日】平成23年5月15日(2011.5.15)
【手続補正１】
【補正対象書類名】実用新案登録請求の範囲
【補正対象項目名】全文
【補正方法】変更
【補正の内容】
【実用新案登録請求の範囲】
【請求項１】
マイコンにて発光状態を制御しているコンサートライトの、マイコン部に通信手段を付加し、通信にて発光状態を変えられる事を特徴としたコンサートライト
(57)【要約】【課題】ガスグリル等で魚類を焼いたときに受け皿に落ちる魚油を吸収して、受け皿への魚油の粘着を防ぐ、焼き魚の魚油吸収茶葉シートを提供する。【解決手段】水と小麦粉を混ぜ合わせたものに、使用済み緑茶葉を加えペースト状に練り上げたものを、アルミ箔に塗りつけ乾燥させたものであって、魚焼きグリルの受け皿に敷き、焼き魚から落ちる魚油を吸収させることを特徴とする焼き魚の魚油吸収茶葉シート。【選択図】図１
0003167102.tif 000002
【実用新案登録請求の範囲】
【請求項１】
水と小麦粉を混ぜあわせたものに使用済み緑茶葉を加えてペースト状に練り上げたものをアルミ箔シートに塗りつけ乾燥させたものであって、魚焼グリルの受け皿に敷き、焼き魚から落ちる魚油を吸収させることを特徴とする焼き魚の魚油吸収茶葉シート。
【考案の詳細な説明】
【技術分野】
【０００１】
本考案は、ガスグリル等で魚類を焼いたときに受け皿に落ちる魚油を吸収して、受け皿への魚油の粘着を防ぐ、焼き魚の魚油吸収茶葉シートに関するものである。
【背景技術】
【０００２】
従来、ガスグリル等を使用して魚を焼くと、焼き魚からこぼれ落ちる魚油がグリル等の受け皿に溜まり、粘り付いていた。
【考案の概要】
【考案が解決しようとする課題】
【０００３】
そのために次のような問題点があった。
（イ）使用後のガスグリルの受け皿に溜まった魚油が悪臭を放つ。
（ロ）洗浄のために受け皿を取り出すときに、魚油が人の手に付着し不快感を催す。
（ハ）洗うときにも炊事場に悪臭を拡散させる。
（ニ）洗剤を使っても魚油は落ちにくく、多量の洗剤と時間を要する。
本考案は以上の問題点を解決しようとするものである。
【課題を解決するための手段】
【０００４】
適量の水と小麦粉を混ぜ合わせたものに、使用済み緑茶葉を加えペースト状に練り上げ、これを適度の厚みをもったアルミ箔シートに塗りつけ乾燥させる。これを魚焼用ガスグリル等の受け皿に敷き、焼き魚から落ちる悪臭を伴う魚油を吸収させる。
適量の水とは、水と小麦粉の混合割合が１０：１ないし１：１、好ましくは７：１ないし３：１、より好ましくは６：１ないし４：１となるような水の量である。
アルミ箔は、乾燥し固くなった使用済み茶葉の茎葉に当たっても破れないような厚さを
有することが好ましい。１５〜２０マイクロメーターの厚さが適当である。
緑茶葉は、煎茶を喫茶した後の使用済み茶葉でよい。その種類、銘柄は問わない。小麦粉とのペースト状物とする際、乾燥させておくとよいが、乾燥させなくとも水分を含んでいるものでもよい。緑茶にはカテキンが含まれており、これは悪臭の分解作用を有している。
ペースト状とすることによって、アルミ箔シートへの塗りつけが容易となる。塗りつけた後乾燥させて魚油吸収シートとする。
以上を特徴とする焼き魚の魚油吸収茶葉シートである。
【考案の効果】
【０００５】
焼き魚から落下した魚油は、小麦粉と使用済み緑茶葉に吸着するので、受け皿がベトつかず、洗うときには洗剤が少なくて済み経済的である。
【０００６】
魚油を吸収した小麦粉と使用済み緑茶葉は、魚焼時の加熱により焼き固まるので、そのままアルミ箔に丸く包み、込み手に魚油が触れることなく捨てることができる。
【０００７】
魚油の悪臭は、主に使用済み緑茶葉の残留カテキンに吸収されアルミ箔に包まれたままゴミ箱へ捨てられるので、台所に拡がらない。尚、カテキンの消臭機能は広くしられているものである。
【０００８】
使用済み緑茶葉を利用するので、資源の再利用につながる。
【０００９】
本考案は、使用後も悪臭を発生しないので、捨てずに複数回の使用が可能である。
【図面の簡単な説明】
【００１０】
【図１】本考案の斜視図
【図２】本考案の平面図
【図３】本考案の使用状態を示す斜視図
【考案を実施するための形態】
【００１１】
以下、図面を参照しながら、本考案の実施の形態を説明する。
（イ）小麦粉を水と１対５の割合で練り合せたものに、使用済み緑茶葉を多めに加え再度練り合せペースト状にして、これをアルミ箔（２）上に茶葉がほぼ均等に広がるように塗りつけ乾燥させて茶葉シート（１）とする。  
（ロ）アルミ箔上に塗りつける際、余り代（３）を作っておく。
（ハ）アルミ箔は乾燥し固くなった使用済み茶葉の茎葉に当たっても破れないよう厚みが１５〜２０マイクロメーターのものを使用する。
（ニ）小麦粉の持つ粘着性のために、ペースト状物はアルミ箔に貼り付き乾燥しても自然には剥がれにくい。
（ホ）小麦粉と茶葉が乾燥しているので、金網（５）上で焼かれる魚から落ちる魚油（６）は小麦粉と茶葉によく吸着する。
（ヘ）魚油が吸着した茶葉と小麦粉は、ガスの燃焼熱により固形化する。
本考案は以上の構成よりなっている。
【００１２】
本考案を使用するときは、上記の魚油吸収茶葉シートをガスグリル等の受け皿（４）に敷き、余り代部分を受け皿の周囲壁面上まで掛るように置き、受け皿がアルミ箔で覆い隠されるようにしておく。加熱され焼かれてゆく魚から魚油（６）が順次滴り落ち魚油吸収茶葉シートに付着し、カテキンにより悪臭が分解される。脱臭され加熱により固形化した魚油はそのまま丸めてグリルから取り出し捨てることができる。
【符号の説明】
【００１３】
１  茶葉シート
２  アルミ箔
３  余り代
４  受け皿
５  金網  
６  魚油
【図１】
0003167102.tif 000003
【図２】
0003167102.tif 000004
【図３】
0003167102.tif 000005
(57)【要約】      （修正有）【課題】インスタント麺および液体物を入れる為の、折りたたみ式容器を提供する。【解決手段】容器の形体を維持するためプラスチックを軸にする。シリコン樹脂でコーティングすることにより、液体を保持する事が可能になる。使用後は開閉器具のある側面の板ａを内側に畳むと、折りたためる側面の板の上部ｂ、下部ｃが重なり折りたため、カバンなどに入れ持ち運びできる。【選択図】図５
0003167194.tif 000002
【実用新案登録請求の範囲】
【請求項１】
液体保持を可能にする仕組み、また折りたたみを可能にする仕組み等を特徴とする折りたたみ式携帯インスタント容器
【考案の詳細な説明】
【技術分野】
【０００１】本考案は、インスタント麺および液体物を入れる為の、折りたたみ式容器に関する。
【背景技術】
【０００２】店舗に陳列されているカップ麺等容器は使い捨てか、自宅で調理するため袋に包装されている。食品以外は後々捨てられているか、またはリサイクルされている。
【考案の概要】
【考案が解決しようとする課題】
【０００３】従来のおりたたみ式容器は液体ともに形状を保持する事はできない。またカップ麺等容器は使い捨てが主流である。次に環境問題により近年エコが注目され、ＣＯ２削減は国の課題である。さらに石油の高騰化により次世代の容器が求められている。これらの問題点を解決しようとするものである。
【問題を解決するための手段】
【０００４】本考案は、容器の形体を維持するためプラスチックを軸にシリコン樹脂でコーティングすることにより、液体を保持する事が可能になる。使用後は折りたたみ、カバンなどに入れ持ち運びできる。さらに、容器の突起部分を持つ事により熱い液体も持ち運びが可能になる。また容器が無い分１度に大量のインスタント麺等搬送ができ、コスト削減が可能になる。またＣＯ２の削減にも繋がる。環境問題の資源の無駄使いを解決している。
【図面の簡単な説明】
【０００５】
【図１】本考案のインスタント容器の実施例を示す図
【図２】
0003167194.tif 000003
【図３】本考案容器の蓋の図
【図４】上部からのぞいた図
【図５】本考案折りたたんだ状態の断面図
【産業上の利用可能性】
【０００６】コンビニや野外にインスタンド麺の販売機を設置し、本考案品を対応させ、無包装のインスタント麺等食品の販売が可能になる。さらなる環境問題の解決に貢献できる。
上記以外に折りたたみのお弁当箱としても利用できるので、売店などで本考案品を受け渡しし、容器として使うことが可能になる。
【符号の説明】
【０００７】ａ  開閉器具のある側面の板
ｂ  折りたためる側面の板の上部
ｃ  折りたためる側面の板の下部
ｄ  底面
【図１】
0003167194.tif 000004
【図２】
0003167194.tif 000005
【図３】
0003167194.tif 000006
【図４】
0003167194.tif 000007
【図５】
0003167194.tif 000008
【手続補正書】
【提出日】平成22年10月5日(2010.10.5)
【手続補正１】
【補正対象書類名】実用新案登録請求の範囲
【補正対象項目名】全文
【補正方法】変更
【補正の内容】
【実用新案登録請求の範囲】
【請求項１】
・プラスチック樹脂でコーティングした、プラスチック製の容器
【手続補正書】
【提出日】平成23年1月7日(2011.1.7)
【手続補正１】
【補正対象書類名】実用新案登録請求の範囲
【補正対象項目名】全文
【補正方法】変更
【補正の内容】
【実用新案登録請求の範囲】
【請求項１】
シリコン樹脂でコーティングした、プラスチック製の容器
(57)【要約】      （修正有）【課題】反射音の拡散を解消して、音の再生効果を改善したヘッドホンを提供する。【解決手段】ヘッドホンのカバー６の全体あるいは一部分は球面状で、その上に低域用スピーカー３、中域用スピーカー４、高域用スピーカー５が設置される。それぞれのコイルと振動板の接着部分が同一球面上に配置され、その球面の中心を耳口９にすることにより、それぞれの音源の耳口までの距離が同一にする。【選択図】図３
0003167130.tif 000002
【実用新案登録請求の範囲】
【請求項１】
ハンガーに繋がったハウジングとカバーとイヤパッドとを具備するヘッドホンであって、
前記カバーの全体、または一部分を球面状に形成し、
前記球面状のカバー上に低域用スピーカー、中域用スピーカー、および高域用スピーカーを設置し、
前記各スピーカーのコイルと振動板の接着部分を、前記球面状のカバーの同一球面上に配置し、
前記各スピーカーの向きを前記球面状のカバーの中心に向け、
前記各スピーカーの音源から前記球面状のカバーの中心までの距離を同一にしたことを特徴とする、
ヘッドホン。
【考案の詳細な説明】
【技術分野】
【０００１】
本考案はヘッドホンの構造に関し、特に三個のスピーカーユニットを球面状のカバーに配置することにより、複数の再生音を同時に耳に達せられるヘッドホンに関するものである。
【背景技術】
【０００２】
通常のヘッドホンのカバーの形状は平板であり、単一のスピーカーで構成されていた。
【考案の概要】
【考案が解決しようとする課題】
【０００３】
通常のヘッドホンのカバーの形状は平板であり、単一のスピーカーで構成されていたため、反射音が拡散されて、音の再生効果が良くなかった。
【課題を解決するための手段】
【０００４】
本考案に係るヘッドホンは、ハンガー繋がりのハウジングとカバーとイヤパッドで構成され、そのカバーの全体あるいは一部分を球面状とし、その上に低域用スピーカー、中域用スピーカー、高域用スピーカーを設置する。
更にそれぞれのスピーカーのコイルと振動板の接着部分を同一球面上に配置し、その球面の中心を耳口にすることにより、それぞれの音源の耳口までの距離を同一距離とするものである。
【考案の効果】
【０００５】
本考案に係るヘッドホンは、低域用スピーカー、中域用スピーカー、高域用スピーカーを同一球面状に配置し、その球面の中心を耳口にすることにより、それぞれの音源の耳口までの距離が同一になっている。
したがって、低域用スピーカー、中域用スピーカー、高域用スピーカーから耳口までの距離が等しくなるので、より自然な合成音を再生できて、従来のヘッドホンと比較して音の再生効果が良くなる。
【図面の簡単な説明】
【０００６】
【図１】本考案に係るヘッドホンの立体組み立て図。
【図２】本考案に係るヘッドホンの立体図。
【図３】本考案に係るヘッドホンを耳に掛けたときのヘッドホンの断面図。
【考案を実施するための形態】
【０００７】
以下、図面を参照しながら本考案の実施の形態について説明する。
【０００８】
［実施例］
本考案に係るヘッドホンは、ハンガー（１）を具備する。ハンガー（１）にはハウジング（２）が繋がれ、ハウジング（２）にはカバー（６）およびイヤパッド（７）が繋がれている。
カバー（６）はその全体、あるいは一部分が球面状を呈している。
カバー（６）の上には、低音域スピーカー（３）、中音域スピーカー（４）および高音域スピーカー（５）を設置する。
更にそれぞれのスピーカー（３）、（４）および（５）の各コイルと振動板の接着部分をカバー（６）の同一球面上に位置させるとともに、各スピーカー（３）、（４）および（５）の音波直射弧面（８）を球面の中心に向ける。
これにより、低音域スピーカー（３）、中音域スピーカー（４）および高音域スピーカー（５）と球面状を呈するカバー（６）の中心までの距離、すなわち聴取者の耳口までの距離を同一距離に設定する。
【０００９】
本考案に係るヘッドホンを使用する時は、カバー（６）の上に設置した低音域スピーカー（３）、中音域スピーカー（４）と高音域スピーカー（５）から発せられる音がそれぞれ同時に耳口に達せられる。
そのため、本考案のヘッドホンは反射音が拡散することがなく、より自然な合成音を再生できて、従来のヘッドホンと比較して音の再生効果が良くなる。
【符号の説明】
【００１０】
１・・・・・ハンガー
２・・・・・ハウジング
３・・・・・低音域スピーカー
４・・・・・中音域スピーカー
５・・・・・高音域スピーカー
６・・・・・カバー
７・・・・・イヤパッド
８・・・・・音波直射弧面
９・・・・・聴取者の耳口
【図１】
0003167130.tif 000003
【図２】
0003167130.tif 000004
【図３】
0003167130.tif 000005
(57)【要約】      （修正有）【課題】時間の経過によっても臭いのしないペット用排泄物処理材を提供する。【解決手段】ペレット形状体１の表面をバチルス系バクテリア２で被覆した。このバチルス系バクテリア２は、アンモニア等の異臭発生物質を生物化学的に分解する働きをするものであり、臭い成分そのものを消滅させる。該バチルス系バクテリア２に、尿が掛かると活動をし始め、臭い成分を水と二酸化炭素等とに分解し続け、臭い成分が無くなれば、活動を休止する。【選択図】図１
0003167125.tif 000002
【実用新案登録請求の範囲】
【請求項１】
ペレット形状体の表面をバチルス系バクテリアで被覆したことを特徴とするペット用排泄物処理材。
【考案の詳細な説明】
【技術分野】
【０００１】
本考案は、一般的に猫砂と称されるペット用排泄物処理材に関する。
【背景技術】
【０００２】
近年、都市部では集合住宅が一般的となっており、犬、猫等のペットを室内で飼育し、犬、猫等と人間とが同じ居住空間で生活するようになっています。その為、排泄物を清潔に処理するとともに、悪臭の発生を抑えることができない場合は、人間が不快な思いをするとともに、ペットの健康にも悪影響を及ぼす問題が発生していました。そこで、この問題を解決するものとして、特許文献１に示すようなものがありました。
【０００３】
このペット用排泄物処理材は、粒体の表面を排泄物処理材で被覆してなり、該粒体に一種以上の炭化物を含ませるとともに、該排泄物処理材には造粒促進剤としてメチルセルロース及びベントナイトを添加してなり、吸水性に優れ、排泄物に含まれるアンモニア等の異臭発生物質を吸着し、悪臭の発生を効果的に抑制することを特徴とするものです。
【先行技術文献】
【特許文献】
【０００４】
【特許文献１】特開２００４−３１３１７９公報
【考案の概要】
【考案が解決しようとする課題】
【０００５】
しかしながら、この特許文献１に示すペット用排泄物処理材においては、アンモニア等の異臭発生物質を吸着するものであり、アンモニア等の異臭発生物質をなくすものではない為、時間の経過に伴い臭いが発生してしまうという可能性がありました。
【０００６】
本考案は前述した従来の問題点鑑みなされたものであり、異臭発生物質を分解することができ、時間の経過によっても臭いのしないぺット用排泄物処理材を提供するものである。
【課題を解決するための手段】
【０００７】
上記課題を解決するため、請求項１の考案にあっては、ペレット形状体の表面をバチルス系バクテリアで被覆したことを特徴とするものであります。
【考案の効果】
【０００８】
本考案によれば、ペレット形状体の表面をバチルス系バクテリアで被覆したので、異臭発生物質を分解することができ、時間の経過によっても臭いのしない効果を発揮するものであります。
【図面の簡単な説明】
【０００９】
【図１】本考案の実施形態に係るペット用排泄物処理材の断面図です。
【考案を実施するための形態】
【００１０】
以下、本考案の実施形態を添付図面に基づいて説明する。図１は、本考案の実施形態に係るペット用排泄物処理材の断面図です。本考案のペット用排泄物処理材は図１に示すように、ペレット状の表面をバチルス系バクテリアで被覆して形成されています。
【００１１】
なお、図１に示す例では、断面が長方形状で、全体として円錐形状となっていますが、本考案のペット用排泄物処理材は、粒状等どのような形状であっても問いません。
【００１２】
該ペレット形状体１は、ペーパースラッジ、製本屑、パルプ、木粉、ベントナイト等を主成分としてなり、その表面にはバチルス系バクテリア２が被覆されています。
【００１３】
このバチルス系バクテリア２は、アンモニア等の異臭発生物質を生物化学的分解する働きをするものであり、臭い成分そのものを消滅させるものであります。
【００１４】
該バチルス系バクテリア２に、尿が掛かると活動をし始め、臭い成分を水と二酸化炭素等とに分解し続け、臭い成分が無くなれば、活動を休止します。
【００１５】
このような構成により、異臭発生物質を分解することができるので、時間の経過によっても臭いのしない効果を発揮するものであります。
【符号の説明】
【００１６】
１はペレット形状体
２はバチルス系バクテリア
【図１】
0003167125.tif 000003